(57)【要約】【課題】拡大倍率と高い分解能を有し、携帯可能な状態での観察対象物の拡大像の観察、該拡大像の取得を簡便に行うことができ、従来の顕微鏡と同様な状態でも利用可能な顕微鏡システムを提供する。【解決手段】拡大観察および撮影を行うための顕微鏡システム７０は、拡大像結像光学系としての顕微鏡用対物レンズおよび結像レンズが配されるレンズ鏡筒１と、上記結像光学系を介して得られた拡大像を取得する一眼レフカメラ１０１とからなるユニット単体で携帯可能なハンディユニット７２と、上記観察対象物を所望の観察範囲に保持するステージ７４と、ハンディユニット７２を着脱可能な状態で固定するための位置決め機構をもつユニット装着体７５と、ステージ７４およびユニット装着体７５を高い剛性にて支持するベース７３とからなるスタンドユニット７１とを具備している。【選択図】図１
2009216825.tif 000002
【特許請求の範囲】
【請求項１】
観察対象物の拡大観察および撮影を行うための顕微鏡システムにおいて、
上記観察対象物の拡大像の結像光学系としての対物レンズおよび結像レンズが配され、一端部に撮像機器着脱部を有するレンズ鏡筒と、上記撮像機器着脱部を介して上記レンズ鏡筒に装着され、上記結像光学系を介して得られた拡大像を取得する手段としての撮像機器とからなるユニット単体で携帯可能な拡大観察ユニットと、
上記観察対象物を所望の観察範囲に保持するステージと、上記拡大観察ユニットを着脱可能な状態で固定するための位置決め機構と、上記ステージおよび上記位置決め機構を支持する支持体とからなるスタンドユニットと、
を具備することを特徴とする顕微鏡システム。
【請求項２】
上記拡大観察ユニットは、上記スタンドユニットから取り外した状態でも上記観察対象物の拡大像の取得及び撮影が可能であることを特徴とする請求項１記載の顕微鏡システム。
【請求項３】
上記スタンドユニットは、さらに上記拡大観察像のピント位置を調整するために上記ステージを上記結像光学系の光軸に沿って移動させるピント調整機構と、上記観察対象物に照明光を照射する照明機構との少なくとも一方を備えていることを特徴とする請求項１または２に記載の顕微鏡システム。
【請求項４】
上記拡大観察ユニットは、さらに、上記拡大観察像のピント位置を調整するために上記結像光学系を上記結像光学系の光軸に沿って移動させるピント調整機構と、上記観察対象物に照明光を照射する照明機構との少なくとも一方を備えていることを特徴とする請求項１または２に記載の顕微鏡システム。
【発明の詳細な説明】
【技術分野】
【０００１】
本発明は、観察対象物の拡大観察像を取得または撮影する顕微鏡システムに関する。
【背景技術】
【０００２】
観察対象物の拡大像の観察を行う場合、従来の顕微鏡の構造は、据え置き型であり、且つ、観察対象物を載置し、観察位置を調整するステージ部と、拡大像を観察するための結像光学系部品が配される鏡筒部と、ピント位置を調整するピント調整機構と、上記観察対象物に照明を照射する照明機構とは非分離型であり、それぞれが高い剛性を有する筐体に連結されていた。また、上記拡大像の撮影を行う場合は、専用の撮影装置か、専用のアダプターを使用して市販のカメラを上記顕微鏡に取り付けて撮影を行っていた。
【０００３】
特許文献１に開示された顕微鏡ユニットは、複数の異なる検鏡法に係る各種の光学ユニットと、少なくとも一つの対物レンズを装着した対物レンズ用レボルバと、この対物レンズ用レボルバを光軸を横切る方向に回動させ、光軸上に選択的に挿入された上記対物レンズの焦点を合わせる焦準機構と、照明光源とを有し、上記各種光学ユニット、上記対物レンズ用レボルバ、上記焦準機構の個々に備えられた電動制御可能な電動アクチュエータと、上記各種光学ユニット、上記対物レンズ用レボルバ、上記焦準機構を一体に組み込む１つの顕微鏡鏡筒と、この顕微鏡鏡筒に設けられ各種の検査装置の支持部に対し着脱可能な取り付け部とを具備している。この顕微鏡ユニットによれば、試料外観の拡大撮影が可能であり、通常のデジタルカメラとしても利用可能である。
【特許文献１】再公表特許公報ＷＯ０１／０７１４０６号
【発明の開示】
【発明が解決しようとする課題】
【０００４】
上述した従来の顕微鏡、あるいは、特許文献１の顕微鏡ユニットは、構造が複雑でサイズ、重量ともに大きく操作にも慣れを要し、価格も高い。また、段取りが多く、簡便さや容易さの低さに加え、用途が限られ汎用性も低い等の理由により一般コンシューマーには敷居が高く、研究・医療・教育機関以外へ顕微鏡のユーザーを広げるための阻害要因ともなっている。観察対象物の拡大像を得るためには、据え置き一体型を使用するほか無く、サイズ、重量共に大きく、例えば、野外など任意の場所に手軽に持ち運んで観察対象物を観察、または、撮影することは非常に困難であった。また、上記従来の顕微鏡にて拡大観察像を得るためには観察対象を標本や試料に仕立てる必要があり観察するまでの段取りが煩雑であった。
【０００５】
本発明は、上記の事情に鑑みてなされたもので、拡大倍率と高い分解能を有し、携帯可能な状態での観察対象物の拡大像の観察、該拡大像の取得、および、映像化を簡便に行うことができ、しかも、従来の顕微鏡と同様な状態でも利用可能な顕微鏡システムを提供することを目的とする。
【課題を解決するための手段】
【０００６】
本発明の請求項１記載の顕微鏡システムは、観察対象物の拡大観察および撮影を行うための顕微鏡システムにおいて、上記観察対象物の拡大像の結像光学系としての対物レンズおよび結像レンズが配され、一端部に撮像機器着脱部を有するレンズ鏡筒と、上記撮像機器着脱部を介して上記レンズ鏡筒に装着され、上記結像光学系を介して得られた拡大像を取得する手段としての撮像機器とからなるユニット単体で携帯可能な拡大観察ユニットと、上記観察対象物を所望の観察範囲に保持するステージと上記拡大観察ユニットを着脱可能な状態で固定するための位置決め機構と上記ステージおよび上記連結機構を支持する支持体とからなるスタンドユニットとを具備する。
【０００７】
本発明の請求項２記載の顕微鏡システムは、請求項１記載の顕微鏡システムにおいて、上記拡大観察ユニットは、上記スタンドユニットから取り外した状態でも上記観察対象物の拡大像の取得及び撮影が可能である。
【０００８】
本発明の請求項３記載の顕微鏡システムは、請求項１または２記載の顕微鏡システムにおいて、上記スタンドユニットは、さらに上記拡大観察像のピント位置を調整するために上記ステージを上記結像光学系の光軸に沿って移動させるピント調整機構と、上記観察対象物に照明光を照射する照明機構との少なくとも一方を備えている。
【０００９】
本発明の請求項４記載の顕微鏡システムは、請求項１または２記載の顕微鏡システムにおいて、上記拡大観察ユニットは、さらに、上記拡大観察像のピント位置を調整するために上記結像光学系を上記結像光学系の光軸に沿って移動させるピント調整機構と、上記観察対象物に照明光を照射する照明機構との少なくとも一方を備えている。
【発明の効果】
【００１０】
本発明によれば、拡大倍率と高い分解能を有し、携帯可能な状態での観察対象物の拡大像の観察、該拡大像の取得、および、映像化を簡便に行うことができ、しかも、従来の顕微鏡と同様な状態でも利用可能な顕微鏡システムを提供することができる。
【発明を実施するための最良の形態】
【００１１】
以下、図を用いて本発明の実施形態について説明する。
【００１２】
図１は、本発明の第一の実施形態である顕微鏡システムの外観を示す斜視図である。図２は、上記顕微鏡システムの正面図である。図３は、上記顕微鏡システムの側面図である。図４は、上記顕微鏡システムを構成するスタンドユニットの斜視図である。図５は、上記スタンドユニットの縦断面図である。
【００１３】
本実施形態の顕微鏡システム７０は、観察対象物の拡大観察を行うためのシステムであり、図１に示すようにスタンドユニット７１と、スタンドユニット７１に着脱可能な状態で取り付けられる拡大観察ユニットとしてのハンディユニット７２とで構成される。
【００１４】
ハンディユニット７２は、観察対象物の拡大像を取得するための手段としての撮像機器である一眼レフカメラ１０１と、観察対象物の拡大像を結像するための対物レンズ，結像レンズ（結像レンズ群も含む）等からなる結像光学系を内蔵し、該カメラ１０１に対して着脱可能な状態で装着されるレンズ鏡筒１とからなり、スタンドユニット７１に取り付けた状態で観察対象物（被写体）の拡大観察および撮影が可能であるが、ハンディユニット７２は、スタンドユニット７１から取り外した単体の状態で携帯可能であり、観察対象物の拡大観察および撮影が可能である。
【００１５】
以下、スタンドユニット７１およびハンディユニット７２の構成について詳細に説明する。
【００１６】
スタンドユニット７１は、主に支持体であるベース７３と、ベース７３の中央位置よりも前方側上に固着され、観察対象物が載置されるステージ７４と、ベース７３上の後側に配置されて、ハンディユニット７２が位置決めされ、装着される位置決め機構を有するユニット装着ブロック７５と、ステージ７４の下部に配される透過照明用照明機構部である照明ユニット８５（図５）と、照明スイッチ９１および電池９４が収容される電池室９２とからなる。
【００１７】
スタンドユニット７１において、ベース７３は高い剛性を有する板状部材であって、図２〜５に示すようにベース７３の上面部には、中間台８２を介してステージ７４が固着され、さらに、ステージ７４の周囲に２本の支柱７６が起立した状態で固着され、照明スイッチ９１が配されている。また、ベース７３の後方端部に電池室９２が配されている。なお、ベース７３の下部にはガタつき防止用のゴム足９３が固着されている。
【００１８】
ステージ７４には中央窓部にすりガラス板８３，８４が配され、すりガラス板８３の上部にプレパラートに配される観察対象物を位置移動可能に押さえるクリップ８８が配されている。
【００１９】
すりガラス板８４の下方部であって、ベース７３の中央位置よりの前方側に形成された開口部７３ａ内には、ステージ７４の中央窓部を下方から照明する照明ユニット８５が配されている。
【００２０】
照明ユニット８５は、ベース７３の下面に固着される電気基板９５上に実装される発光素子８６と、発光素子８６の上方部に配される集光レンズ８７とからなる。
【００２１】
ユニット装着ブロック７５は、ベース７３上の中央位置よりも後方側に起立した支柱７６の上端に固定板７７を介して固着して配されるコの字形状の凹部７５ａを有するブロック体である。
【００２２】
ユニット装着ブロック７５の凹部７５ａには、ハンディユニット７２のレンズ鏡筒１の下側筐体２の前端側が挿入され、位置決め状態で保持される。凹部７５ａにはレンズ鏡筒１の光軸Ｏ1 （後述）と直交する面に沿った背面上に形成されたガイド突起７５ｂと左右面に対向して形成されたガイド突起７５ｄが設けられており、該突起部は、装着されるレンズ鏡筒１の下側筐体２の外面に形成された位置決め用ガイド溝２ｎ，２ｐが係合可能である（図７）。なお、左右のガイド突起７５ｄの下部には切り込み溝７５ｅが設けられており、ガイド突起７５ｄが左右方向に変位可能となっている。ガイド突起７５ｂの下方位置には、ハンディユニット固定ビス７９を挿通する挿通孔７５ｃが設けられている。さらに、凹部７５ａの底面側の固定板７７の上部にはユニット当て付け板７８が固着されている。なお、一対となったガイド突起７５ｄおよびユニット当て付け板７８における開口側（前方側）の縁部には、開口を広げる方向の傾斜面が形成されている。
【００２３】
上述した構成を有するスタンドユニット７１にはハンディユニット７２を着脱可能な状態で装着することができる。
【００２４】
すなわち、ハンディユニット７２側のレンズ鏡筒１の下側筐体２先端部をスタンドユニット７１側のユニット装着ブロック７５の凹部７５ａに前方側から挿入し、嵌入させて、ユニット固定ビス７９で螺着することによって、ハンディユニット７２をスタンドユニット７１に装着することができる。詳しくは、後述するレンズ鏡筒１の下側筐体２の前端面２ｑを、ユニット装着ブロック７５の当て付け板７８の上面７８ａに当て付けた状態で、凹部７５ａに前方側から挿入する。そして、レンズ鏡筒１の下側筐体２の外周面の略９０度毎の位置に形成した三方のガイド溝２ｐ，２ｎ（図７）をユニット装着ブロック７５の三方のガイド突起７５ｄ，７５ｂに係合させ、嵌入状態とし、ユニット固定ビス７９を下側筐体２のネジ部２ｊに螺着すると、ハンディユニット７２がスタンドユニット７１に固定される。
【００２５】
上述したハンディユニット装着状態では、スタンドユニット７１のステージ７４に対してハンディユニット７２は、レンズ鏡筒１の下側筐体２に対して接合される上側筐体３の前端側に取り付けられる顕微鏡用対物レンズ９（後述）の光軸Ｏ1 （図１０，１２）がステージ７４の中央窓部中心に位置した状態でステージ７４から所定距離離間した状態で保持される。従って、ハンディユニット７２では、レンズ鏡筒１に配設される顕微鏡用対物レンズ９を介して、ステージ７４上にクリップ８８で光軸Ｏ1 に対して直交する面上で位置調整可能に支持されるプレパラート上の観察対象物の拡大観察、撮影、言い換えると、観察対象物の拡大像の映像化、並びに、映像データの取得ができる。
【００２６】
なお、対物レンズ９の光軸Ｏ1 方向の位置は、後述する下側筐体２に配される手動操作リング２０を回転操作することにより調整することが可能であり、ピント合わせを行うことができる。また、照明スイッチ９１をオン操作することにより照明ユニット８５の発光素子８６を点灯させ、ステージ７４上に配されるプレパラートの観察対象物を下面側から照明することができる。
【００２７】
次にハンディユニット７２の構成について、図６，７および図８〜１５を用いて詳細に説明する。
【００２８】
図６は、顕微鏡システムを構成し、レンズ鏡筒と一眼レフカメラとからなる拡大観察ユニットであるハンディユニットの外観を示す斜視図である。図７は、上記ハンディユニットを下方側（スタンドユニット装着部側）から見た斜視図である。図８は、上記レンズ鏡筒の分解斜視図である。図９は、上記レンズ鏡筒を構成する顕微鏡用対物レンズ装着用鏡枠ユニットおよび鏡枠駆動ユニットの外観を示す斜視図である。図１０は、上記レンズ鏡筒の鏡枠筐体に収容される上記各ユニットの側面図である。図１１は、上記鏡枠駆動ユニットを下側筐体に取り付けた状態を示す平面図である。図１２は、上記一眼レフカメラに装着した状態の上記レンズ鏡筒の光軸に沿った縦断面図である。図１３は、上記レンズ鏡筒に内蔵される結像光学系ユニットの正面図である。図１４は、上記結像光学系ユニットの側面図である。図１５は、図１３のＡ−Ａ断面図である。
【００２９】
前述したようにハンディユニット７２は、一眼レフカメラ１０１と、レンズ鏡筒１とからなり、レンズ鏡筒１は、図６に示すように一眼レフカメラ１０１に対して、撮像機器側着脱部としてのカメラ側レンズマウント１０５に、レンズ鏡筒１側となる撮像機器着脱部としてのマウント４を結合して装着することができる。さらに、レンズ鏡筒１の上側筐体３の先端部に顕微鏡用対物レンズ９を取り付け、該対物レンズ９をピント位置調節のための進退させ、結像光学系を介して一眼レフカメラ１０１内の撮像素子１０６の結像面上に結像させることによって、観察対象物の拡大観察像の観察、または、撮影を可能とするものである。
【００３０】
一方、レンズ鏡筒１が装着可能な一眼レフカメラ１０１は、図６，１０に示すようにカメラボディ１０２の内部に撮像光軸Ｏｃ上に配される撮像素子１０６と、光軸Ｏｃとは平行、かつ、異なる光軸となるファインダ光軸Ｏｆ上に配される接眼レンズ１０７をもつファインダ接眼レンズ部１０３と、レリーズ操作釦１０４と、上記レンズマウント１０５等を具備している。
【００３１】
レンズ鏡筒１の上側筐体３の先端部に取り付け可能な顕微鏡用対物レンズ９は、無限遠補正系顕微鏡用対物レンズであり、複数種類の倍率の顕微鏡用対物レンズが適用可能である。
【００３２】
レンズ鏡筒１は、図８，１０に示すように下側筐体２および該筐体２に上方側から接合される上側筐体３と、下側筐体２に支持され、ピント調整機構としてのピント位置調整機構部を構成し、後述する鏡枠ユニット６を取り付けて該鏡枠ユニット６を対物レンズ９の光軸Ｏ1 に沿って進退駆動するための鏡枠駆動ユニット５と、同じくピント位置調整機構部を構成し、鏡枠駆動ユニット５によって進退駆動され、先端部に顕微鏡用対物レンズ９が取り付け可能な鏡枠ユニット６と、下側筐体２に支持され、鏡枠ユニット６に接続されるとともに折り曲げ結像光学系を内蔵する結像光学系ユニット７とを有しており、下側筐体２の後端部に固着されるマウント４が設けられている。
【００３３】
下側筐体２と上側筐体３とは、下側筐体２の接合面２ｉと上側筐体３の接合面３ａとを接合させ、下側筐体２のビス挿通穴２ｋを挿通させたビスにより一体化される。
【００３４】
上側筐体３には、顕微鏡用対物レンズ９が挿入される、光軸Ｏ1 に沿った前方開口部３ｂと、該開口部３ｂの下方に形成された鏡枠ベース２７（後述）が挿通される貫通溝３ｃが配されている（図８）。
【００３５】
下側筐体２には、底部中央部に鏡枠駆動ユニット５を収容するための凹部２ｂと、凹部２ｂの両側部にて鏡枠駆動ユニット５を支持するための駆動ユニット支持板取付面２ｅと、後方側に形成された後方開口部２ｄと、該開口部２ｄの両側にて結像光学系ユニット７を支持するための結像光学系ユニット取付面２ｇと、前方下部に配されて手動操作リング２０がされる手動操作リング用開口部２ｍと、前方の外周面の左右側部および底面部の三箇所に光軸Ｏ1 と直交する方向に沿ったガイド溝２ｐ，２ｎと、前端面２ｑと、さらに、後端部に上述したマウント４が設けられている（図７，８）。
【００３６】
結像光学系ユニット７は、筒状の前鏡枠４１および該前鏡枠４１にビス結合される後鏡枠４２と、折り曲げ結像光学系を構成する結像レンズ群４５および第一ミラー４６、第二ミラー４７と、レンズ群４５に前方側から当接する押エ枠４３と、押エ枠４３を前鏡枠４１に固定する押エ枠固定リング４４とからなる（図８，１２〜１５）。
【００３７】
後鏡枠４２は、前鏡枠４１と一体の状態で取付部４２ａを下側筐体２の結像光学系ユニット取付面２ｇに当て付けてビスをネジ穴２ｈに螺着して固定される。
【００３８】
上記折り曲げ結像光学系は、上述したように結像レンズ群４５と第一ミラー４６および第二ミラー４７とからなり、後述する第一の光軸Ｏ1 と第二の光軸Ｏ2 と第三の光軸Ｏ3を有するＺ状の折り曲げ光学系である。なお、第一ミラー４６および第二ミラー４７に代えてプリズムを適用することも可能である。
【００３９】
結像レンズ群４５は、前鏡枠４１内に嵌入され、押エ枠４３を当て付けた状態で押エ枠固定リング４４を前鏡枠４１に螺着し、締め付けることにより固定支持される。顕微鏡用対物レンズ９から取り込まれる観測被写体の光路上の結像レンズ群４５の光軸が上記光軸Ｏ1 （第一の光軸）となる（すなわち、顕微鏡用対物レンズ９と結像レンズ群４５の光軸は一致している）。
【００４０】
第一ミラー４６および第二ミラー４７は後鏡枠４２に固着され、結像レンズ群４５の後方側に光軸Ｏ1 に対して傾斜しており、それらの反射面が互いに平行状態で離間して位置決めされる。そして、結像レンズ群４５の光軸Ｏ1 の入射側光軸と第一ミラー４６の反射光の光軸（第二光軸）Ｏ2 との挟角が９０°未満となるように第一ミラー４６を傾斜させる。さらに、該光軸Ｏ2 の入射側光軸に対する第二ミラー４７の反射光の光軸（第三光軸）Ｏ3 の挟角が９０°未満となるよう傾斜させている。上述したように第一ミラー４６と第二ミラー４７との反射面が互いに平行であるので光軸Ｏ1 と光軸Ｏ3とは平行となっている。
【００４１】
一眼レフカメラ（以下、カメラともいう）１０１へのレンズ鏡筒１の装着状態では、結像レンズ群４５の光軸Ｏ1 の軸心は、カメラ１０１のファインダ接眼レンズ１０７の上記ファインダ光軸Ｏｆに対して光軸Ｏ1 の直交平面上で一致している。言い換えると、顕微鏡用対物レンズ９の光軸（光軸Ｏ1 と一致）とファインダ光軸Ｏｆとが一致している。さらに、光軸Ｏ3の軸心は、カメラ１０１の上記撮像光軸Ｏｃと一致するように各部の寸法が設定されている。
【００４２】
光軸Ｏ1 とＯ2 とＯ3 とを含むＺ状の鏡枠側折り曲げ光学系光路長（結像レンズ群４５からマウント４面までの距離）ｆ1aは、所定の距離になるようシム等により調整されている。すなわち、後述する図１６に示すようにレンズマウント１０５からカメラ１０１側撮像素子１０６の結像面１０６ａまでの距離ｆｃとしたとき、無限遠補正系顕微鏡用対物レンズ９から取り込まれる観察対象物の光束Ｌｐが上記鏡枠側折り曲げ光学系光路Ｌｋを経て撮像素子１０６の結像面１０６ａ上に結像するときの全折り曲げ結像光学系光路長ｆ1 が、
ｆ1 ＝ｆ1a＋ｆｃ  …（１）
になるように設定されている。
【００４３】
なお、撮影倍率Ｍは、無限遠補正系顕微鏡用対物レンズ９の焦点距離ｆ0 と上記全折り曲げ結像光学系光路長ｆ1 との比で与えられ、
Ｍ＝ｆ1 ／ｆ0   …（２）
となる。
【００４４】
鏡枠駆動ユニット５は、鏡枠ユニット６を光軸Ｏ1 方向に進退駆動するための駆動ユニットであって、駆動ユニット支持台１１と、該支持台１１の前後の下側に固着される前軸支持体１４および固定支持部材１５と、固定支持部材１５に支持される後軸支持体１６と、前後端部を前軸支持体１４および後軸支持体１６により回転可能に支持され、光軸Ｏ1 と平行な方向に沿った案内構造部であるボールネジ軸１７と、ボールネジ軸１７の前後の端部に固着され、ボールネジ軸１７のスラスト移動を規制するスラスト止メリング１９，１８と、前軸支持体１４とスラスト止メリング１９との間に挿入され、ボールネジ軸１７に固着される手動操作リング２０と、駆動ユニット支持台１１の上面に固着される案内構造部であるレール台１２と、該レール台１２の上部に固着され、長手方向が光軸Ｏ1 と平行な方向に沿ったガイドレール３１と、レール台１２の前端面および後端面に固着され、鏡枠ユニット６の下側の鏡枠ベース２７と当接して鏡枠ユニット６の前後の移動範囲を規制する当接板１３，２１とからなる（図８，９，１２）。
【００４５】
鏡枠ユニット６は、光軸Ｏ1 に沿った開口部２８ａを有し、顕微鏡用対物レンズ９が前方側から装着可能な筒状の鏡枠２８と、鏡枠２８の下部に固着される鏡枠ベース２７と、鏡枠ベース２７を介して鏡枠２８を両側から支持するＬ字型の一対の鏡枠ユニット支持台２６と、該鏡枠ユニット支持台２６の下部に２本の結合片２５により結合支持されるナット支持体２３と、該ナット支持体２３に挿通させて固着され、その軸中心にボールネジ部を構成するボールネジナット２４と、鏡枠ベース２７の下部に固着され、上記ガイドレール３１と係合するためのリニアガイド部を構成するガイドブロック３２とからなる。
【００４６】
上記ガイドブロック３２は、鏡枠駆動ユニット５のガイドレール３１の側面に形成したＶ溝３１ａにボールを介して長手方向に相対移動可能に係合し、嵌入する。また、上記ボールネジナット２４は、鏡枠駆動ユニット５のボールネジ軸１７にボールを介して回転、進退可能に螺合する。
【００４７】
鏡枠２８の前端部には顕微鏡用対物レンズ９のネジ部が螺合可能なネジ部（雌ネジ）２８ｂが設けられており、該ネジ部２８ｂにより顕微鏡用対物レンズ９を鏡枠２８の先端部に装着することができる。
【００４８】
上述した鏡枠駆動ユニット５に対してその上方側のガイドレール３１にガイドブロック３２を係合させ、かつ、鏡枠駆動ユニット５の下方側のボールネジ軸１７にボールネジナット２４を螺合させた状態で対物レンズ装着用の鏡枠ユニット６が組み付けられる。そして、鏡枠ユニット６が組み付けられた鏡枠駆動ユニット５は、駆動ユニット支持台１１を下側筐体２の取付面２ｅに当て付けてビスにより固定し、下側筐体２に取り付けられる。
【００４９】
レンズ鏡筒１は、上述したように下側筐体２に結像光学系ユニット７を組み付け、さらに、鏡枠駆動ユニット５および鏡枠ユニット６を組み付け、その上側に上側筐体３を被せ、ビスにより固着し一体化して完成させる。
【００５０】
上述した鏡枠駆動ユニット５および鏡枠ユニット６の組み付け状態において、下側筐体２の手動操作リング用開口部２ｍより露呈している手動操作リング２０の外周部を手動により回転させると、ボールネジ軸１７が回転し、ボールネジナット２４を介して鏡枠ユニット支持台２６がガイドレール３１にガイドされながら光軸Ｏ1 方向に進退駆動される。そして、鏡枠ユニット支持台２６と鏡枠ベース２７とを介して支持される対物レンズ用鏡枠２８を光軸Ｏ1 方向に進退させることができる。
【００５１】
上述した構成を有するレンズ鏡筒１は、マウント４とレンズマウント１０５を介してカメラ１０１に装着され、ハンディユニット７２を構成する。該ハンディユニット７２は、前述したように観察対象物を従来のカメラ付き顕微鏡と同様に前述したスタンドユニット７１に装着して（図１〜３）、より安定した状態での拡大観察、撮影、言い換えると、観察対象物の拡大像の映像化、並びに、映像データの取得を行うことができるが、さらに、本ハンディユニット単体でも観察対象物の拡大観察、撮影が可能である。
【００５２】
図１６，１７は、レンズ鏡筒１を装着したカメラ１０１からなるハンディユニット７２単体にて観察対象物を観察、撮影する状態を示す模式図であって、図１６は、上記観察対象物の被観察部表面が凸状（または平面状）である場合を示し、図１７は、上記観察対象物の被観察部表面が凹状である場合を示す。図１８（Ａ），（Ｂ）は、上記ハンディユニット７２を構成するレンズ鏡筒１が折り曲げ結像光学系を持つ場合、または、同軸（非折り曲げ）結像光学系を持つ場合のそれぞれでレンズ鏡筒をカメラ１０１に装着したときの光路を比較して示す模式図であって、図１８（Ａ）は、本実施形態のレンズ鏡筒の折り曲げ結像光学系を採用した場合を示し、図１８（Ｂ）は、図１８（Ａ）のレンズ鏡筒と異なる同軸結像光学系を採用した場合を示している。
【００５３】
ハンディユニット７２により観察対象物の撮影を行う場合、図６に示すように上側筐体３の開口部３ｂを挿通させ、所望の倍率を有する顕微鏡用対物レンズ９を鏡枠２８の先端部のネジ部２８ｂに螺着し、固定する。
【００５４】
上記レンズ鏡筒１は、前述したように結像光学系として光軸Ｏ1 ，Ｏ2 ，Ｏ3を有するＺ状の折り曲げ光学系を形成しており、カメラ１０１への装着状態では、結像レンズ群４５の光軸Ｏ1 の軸心は、カメラ１０１の上記ファインダ光軸Ｏｆと一致し、さらに、光軸Ｏ3の軸心は、カメラ１０１の上記撮像光軸Ｏｃと一致している。
【００５５】
レンズ鏡筒１が装着されたハンディユニット７２は、携帯が可能であり、観察対象物のある場所に手軽に持ち運び、使用者が手で保持した状態でも拡大観察、撮影、言い換えると、観察対象物の拡大像の映像化、並びに、映像データの取得を行うことができる。
【００５６】
例えば、図１６に示す観察対象物（観察試料）３０１を撮影するとき、ハンディユニット７２を手でホールドした状態で観察対象物３０１に顕微鏡用対物レンズ９を接近させる。ファインダ接眼部１０３の接眼レンズ１０７により観察対象物像を観察ながら手動操作リング２０を手動により回転させ、対物レンズ９の位置を調節し、合焦状態でレリーズ釦１０４を押し切って撮影を行う。
【００５７】
上述した合焦状態においては、観察対象物３０１は、顕微鏡用対物レンズ９から対物レンズ焦点距離ｆ0 だけ離れた位置に位置している。撮影倍率Ｍは、前述したように光軸Ｏ1 ，Ｏ2 ，Ｏ3 および撮像光軸Ｏｃを含む全折り曲げ結像光学系光路長ｆ1 と対物レンズ焦点距離ｆ0 との比で与えられる（式（２））。
【００５８】
上述した顕微鏡用対物レンズ９の短い焦点距離ｆ0 に対して上記折り曲げ結像光学系を採用したことにより光路長ｆ1 を長く取ることができ、細胞組織や微生物等の標本や試料を観察するための高い倍率が得られる。また、顕微鏡用対物レンズ９はＮ．Ａの値が大きく、従来の一眼レフカメラ用マクロレンズと比較すると分解能が高く、鮮明な観察像を得ることができる。
【００５９】
一方、図１６に示した平面状の観察対象物３０１に対して、図１７に示すように凹状の観察対象物３０２であった場合、レンズ鏡筒１の下側筐体２が観察部周辺に当たるので顕微鏡用対物レンズ９を観察対象物３０２に接近させることができない。そこで、手動操作リング２０を手動により回転させて顕微鏡用対物レンズ９を上記下側筐体２より前方に繰り出し、観察対象物３０２と顕微鏡用対物レンズ９との距離を対物レンズ焦点距離ｆ0 とした合焦状態での撮影が可能となる。この状態においても撮影倍率Ｍは、同様に上記全折り曲げ結像光学系光路長ｆ1 と対物レンズ焦点距離ｆ0 との比で与えられ、変化しない。
【００６０】
なお、撮影倍率を変えて撮影を行うためには焦点距離の異なる顕微鏡用対物レンズ９を装着すればよい。
【００６１】
上述したように一眼レフカメラ１０１にレンズ鏡筒１を装着したハンディユニット７２においては、図１６，１７に示すように結像光学系がＺ状に折り曲げられていることから下側筐体２の第二ミラー４７の前方のスペースＢに上述した鏡枠駆動ユニット５を配置することができ、レンズ鏡筒１の構成部材の効率のよい配置ができ、レンズ鏡筒のコンパクト化が可能になる。
【００６２】
さらに、図１８（Ａ）に示すようにレンズ鏡筒１で上述の折り曲げ結像光学系を適用しており、長い全折り曲げ結像光学系光路長ｆ1 が得られる筐体２，３の全長Ｓ1 は、短くなり、高倍率を得やすい。一方、図１８（Ｂ）に示す同軸結像光学系を適用したレンズ鏡筒１Ｅの場合の筐体の全長として同じ全長Ｓ1 を採用したとすると、光軸Ｏ1Eを有する同軸（非折り曲げ）結像光学系光路長ｆ2 は、光軸の折り曲げがない分だけ上記光路長ｆ1 より短くなり、高倍率を得にくい。
【００６３】
また、図１８（Ａ）に示すように前述したようにレンズ鏡筒１における顕微鏡用対物レンズ９の光軸が結像レンズ群４５の光軸Ｏ1 を介してカメラ１０１のファインダ光軸Ｏｆと一致していることから観察対象物３０３の光軸と観察者の視線とのズレが生じない。図１８（Ｂ）のように同軸結像光学系を適用したレンズ鏡筒１Ｅを適用した場合は、ファインダ光軸Ｏｆと顕微鏡用対物レンズ光軸と一致する同軸結像光学系の光軸Ｏ1Eとは、距離Ｐ0 のズレがあり、観察対象物３０３に対する観察者の視線に対して被写体の撮影範囲の中心位置がずれるので、観察、撮影が行いにくい。
【００６４】
また、ハンディユニット７２は、通常のカメラと同様に携帯可能であり、例えば、野外における観察対象物の観察、撮影も容易に行える。図１９は、ハンディユニット７２を三脚１１０の雲台１１１に装着し、野外にて観察対象物３０４の拡大観察、撮影を行っている状態を示す図である。この状態ではハンディユニット７２は、しっかり固定保持されるために手ぶれがなく、拡大観察、撮影に良好な状態が得られる。
【００６５】
一方、前述したようにハンディユニット７２をスタンドユニット７１に装着した顕微鏡システム７０は、従来の据え置き型の顕微鏡と同様な状態で簡易タイプの顕微鏡として観察対象物の拡大観察、撮影を行うことができる。この場合も所望の倍率の顕微鏡用対物レンズ９をハンディユニット７２に取り付け、手動操作リング２０を操作することによりピント合わせを行って観察対象物の拡大観察、または、撮影を行うことができる。
【００６６】
以上、説明したように本実施形態の顕微鏡システム７０においては、レンズ鏡筒１を一眼レフカメラ１０１に装着した状態のハンディユニット７２単体にて観察、撮影を可能にする機能が集約されており、手軽に観察対象物の拡大観察や撮影を行うことができ、携帯性もよく、野外観察等も可能となる。また、プレパラート化が困難な観察対象物に対しても容易に対応することができる。同時に、ハンディユニット７２をスタンドユニット７１に装着することによって、従来の顕微鏡と同様に観察対象物の拡大撮影や観察を行うことができる。
【００６７】
また、ハンディユニット７２のレンズ鏡筒１にて結像光学系として折り曲げ結像光学系を採用することによりレンズ鏡筒１の長さが短い状態、かつ、実効光路長を長くとることが可能であり、拡大倍率を大きくすることが可能となる。また、カメラ側のファインダ光軸Ｏｆと顕微鏡用対物レンズ光軸Ｏ1 とが一致することから、観察時の視線に対する被写体の撮影範囲の中心位置のズレがなく、所望の観察範囲に対物レンズ光軸Ｏ1 を合わせやすくなる。
【００６８】
さらに、上記折り曲げ結像光学系を採用することでピント調節用の鏡枠駆動ユニット５の筐体内での配置が容易になり、レンズ鏡筒１の小型化にも寄与する。なお、折り曲げ結像光学系を適用しない同軸結像光学系を採用した場合、同じ長さの鏡筒で同様の拡大倍率を得ようとすると、他に複数のレンズ群を光路中に付加して配置する必要があり、光学系の構成が複雑化すると同時に光学性能も劣化する可能性もある。
【００６９】
また、レンズ鏡筒１に倍率の異なる顕微鏡用対物レンズ９を装着することによって所望の拡大倍率の撮影が可能となる。また、観察対象物の観察面の凹凸形状に対しても、顕微鏡用対物レンズ９を鏡枠駆動ユニット５の手動操作リング２０の操作で光軸方向に進退移動させることにより撮影倍率を変えることなく対応することが可能である。
【００７０】
なお、上述した一眼レフカメラ１０１側のファインダ接眼部１０３は、光学ファインダとして説明したが、これに限らずＥＶＦ（電子ビューファインダ）を適用したファインダ部であってもよい。
【００７１】
レンズ鏡筒１における上記手動操作リング（手動回転調節リング）２０の回転操作方式に替えて、ボールネジ軸１７を電動駆動する電動駆動部をレンズ鏡筒１に内蔵し、カメラ１０１側からの制御のもとで鏡枠駆動ユニット５によるピント位置調節駆動を行い、自動ピント位置調節可能な構成とすることも可能である。具体的には、鏡枠駆動ユニット５にボールネジ軸１７を回転駆動するための駆動モータを配し、さらに、マウント４にカメラ１０１側との通信用接点部を配し、カメラ１０１内に駆動モータ制御部を配する構成とする。そして、カメラ１０１側の制御部からの制御のもとで上記通信用接点部を介してカメラ１０１側の供給電力と制御信号により上記駆動モータを駆動し、ボールネジ軸１７を回転させ、ピント位置を自動調節することも可能である。あるいは、手動ピント調節とモータ駆動によるピント調節とを切り換えて行う構成を採用することもできる。
【００７２】
また、上述した構成のレンズ鏡筒１の結像光学系の結像位置の後方に接眼レンズを光学ファインダとして配する構成とすることにより簡易的な観察対象物の拡大観察を行うことも可能となる。レンズ鏡筒１が装着される一眼レフカメラにブレ補正機能付きの一眼レフカメラを適用することによりカメラぶれの影響を抑えた高倍率の撮影が可能となる。
【００７３】
レンズ鏡筒１の結像光学系の光軸Ｏ1 上の対物レンズ９と結像レンズ群４５との間に絞り装置４５ａ（図１８（Ａ））を配置することにより適正な露光状態での拡大撮影を行うことができる。この場合、マウント部４の通信用接点部を介してカメラ１０１側から絞り制御信号を取り込み、上記絞り装置４５ａを制御することが可能である。絞り装置４５ａは、結像レンズ群４５と第一ミラー４６との間に配置してもよい。あるいは、絞り装置４５ａを光軸Ｏ2 上、または、光軸Ｏ3 上に配置してもよい。
【００７４】
次に本発明の顕微鏡システムの拡大観察ユニットに適用可能な第二の実施形態のレンズ鏡筒について、該レンズ鏡筒を適用したハンディユニットの構成の要部を示す模式図である図２０を用いて説明する。
【００７５】
本実施形態のレンズ鏡筒１Ａは、図２０に示すように図８〜図１８（Ａ）等に示した第一実施形態のレンズ鏡筒１に対して第一の光軸Ｏ1 上に変倍機能部５１としての変倍レンズ群５２，５３を付加したものである。このレンズ鏡筒１Ａにおけるその他の構成は、第一の実施形態のレンズ鏡筒１と同様であり、同一の構成要素には同一符号を付し、以下、異なる部分について説明する。
【００７６】
上述したようにレンズ鏡筒１Ａにおいては、変倍レンズ群５２，５３が光軸Ｏ1 上の結像レンズ群４５と第一ミラー４６の間に配されており、変倍レンズ群５２，５３は、それぞれ図示しないレンズ進退駆動機構により光軸Ｏ1 上を進退駆動させる。該変倍レンズ群５２，５３の進退位置によって所望の観察、撮影倍率が得られる。
【００７７】
なお、レンズ鏡筒１Ａを適用したハンディユニットも図１に示すようにスタンドユニット７１に装着が可能である。
【００７８】
次に本発明の顕微鏡システムの拡大観察ユニットに適用可能な第三の実施形態のレンズ鏡筒について、該レンズ鏡筒を適用したハンディユニットの構成の要部を示す模式図である図２１を用いて説明する。
【００７９】
本実施形態のレンズ鏡筒１Ｂは、図２１に示すように図８〜図１８（Ａ）等に示した第一実施形態のレンズ鏡筒１に対して第一の光軸Ｏ1 上に落射照明機構部を付加して配置するものである。すなわち、第一の光軸Ｏ1 上にハーフミラー５６を配し、該ハーフミラー上方部に照明筒部５４に支持される照明用光源５５を配する。このレンズ鏡筒１Ｂのその他の構成は、第一の実施形態のレンズ鏡筒１と同様であり、同一の構成要素には同一符号を付し、以下、異なる部分について説明する。
【００８０】
本実施形態のレンズ鏡筒１Ｂにて照明用光源５５から射出される落射照明光は、ハーフミラー５６で前方に向けて反射され、結像レンズ群４５および対物レンズ９を透過して光軸Ｏ1 と同軸上で観察対象物に照射される。上記照明光で照明された上記観察対象物の被写体光束は、対物レンズ９、結像レンズ群４５、ハーフミラー５６を透過して折り曲げ結像光学系を経て撮像素子１０６の結像面１０６ａ上に被写体像として結像し、撮影が行われる。
【００８１】
照明用光源５５に供給される電力は、レンズ鏡筒１Ｂに内蔵する電源、または、外部電源より供給してもよいが、カメラ１０１のレンズマウント１０５に設けられる電気接点部を介してカメラ１０１側から電力供給を受けてもよい。
【００８２】
本実施形態のレンズ鏡筒１Ｂによれば、第一の実施形態のレンズ鏡筒１と同様の効果に加えて、さらに、輝度の低い不透明な観察対象物に対しても良好な拡大撮影画像を得ることができる。
【００８３】
なお、レンズ鏡筒１Ｂを適用したハンディユニットも図１に示すようにスタンドユニット７１に装着が可能である。
【００８４】
次に本発明の顕微鏡システムの拡大観察ユニットに適用可能な第四の実施形態のレンズ鏡筒について、該レンズ鏡筒の外観を示す斜視図である図２２を用いて説明する。
【００８５】
本実施形態のレンズ鏡筒１Ｃは、図２２に示すように図６の第一実施形態のレンズ鏡筒１に対して上側筐体３の先端部の顕微鏡用対物レンズ９の両側位置に外付け落射照明機構部を付加して配置したものである。このレンズ鏡筒１Ｃのその他の構成は、第一の実施形態のレンズ鏡筒１と同様であり、同一の構成要素には同一符号を付し、以下、異なる部分について説明する。
【００８６】
上記外付け落射照明機構部は、上側筐体３の先端部の両側に植設される可撓性支持軸６１，６２と、該支持軸の先端部に取付けられる照明傘６３，６４と、該照明傘６３，６４内に保持される光源６５，６６とからなる。
【００８７】
光源６５，６６からの落射照明光により直接的に観察対象物を照明することができ、適正な被写体輝度が得られる。また、支持軸６１，６２を撓ませることによって観察対象物の良好な照明状態が得られる。
【００８８】
なお、レンズ鏡筒１Ｃを適用したハンディユニットも図１に示すようにスタンドユニット７１に装着が可能である。
【００８９】
また、本実施形態の場合も上述した第三の実施形態の場合と同様に照明用光源６５，６６に供給される電力は、レンズ鏡筒１Ｃに内蔵する電源、または、外部電源より供給してもよいが、カメラ１０１のレンズマウント１０５に設けられる電気接点部を介してカメラ１０１側から電力供給を行うことも可能である。
【００９０】
次に本発明の顕微鏡システムの拡大観察ユニットに適用可能な第五の実施形態のレンズ鏡筒について、該レンズ鏡筒の外観を示す斜視図である図２３を用いて説明する。
【００９１】
本実施形態のレンズ鏡筒１Ｄは、図２３に示すように図６の第一実施形態のレンズ鏡筒１に対して観察対象物に当接可能なガイド部材６８を先端部に付加して配置したものである。このレンズ鏡筒１Ｄのその他の構成は、第一の実施形態のレンズ鏡筒１と同様であり、同一の構成要素には同一符号を付し、以下、異なる部分について説明する。
【００９２】
本実施形態のレンズ鏡筒１Ｄの上側筐体３の先端部に顕微鏡用対物レンズ９を跨いだ状態で着脱可能なコの字形状のガイド部材６８が取り付けられる。このガイド部材６８の先端平面部の光軸Ｏ1 上の所定位置に開口部６８ａが設けられている。
【００９３】
ハンディユニット単体で観察対象物の拡大観察、撮影を行う場合、カメラ１０１に装着されたレンズ鏡筒１Ｄのガイド部材６８の先端部を上記観察対象物の観察部表面に当て付けて、観察、または、撮影を行う。ガイド部材６８が上記観察対象物に直接、当接しているのでレンズ鏡筒１Ｄを安定して固定支持することができ、カメラぶれの少ない安定した状態で拡大観察、または、撮影が可能となる。
【００９４】
なお、ガイド部材６８は、着脱可能であり、それを外した状態のレンズ鏡筒１Ｄは、図１に示すようにスタンドユニット７１に装着することができる。
【００９５】
次に本発明の顕微鏡システムの拡大観察ユニットに適用可能な第六の実施形態のレンズ鏡筒について、該レンズ鏡筒を適用したハンディユニットの模式図である図２４を用いて説明する。
【００９６】
本実施形態のレンズ鏡筒１Ｅには図２４に示すように、図６の第一実施形態のレンズ鏡筒１における無限遠補正系顕微鏡用の対物レンズ９および進退移動しない結像レンズ群４５に替えて、進退可能な対物レンズ９Ｅおよび進退可能な結像レンズ４５Ｅが設けられている。このレンズ鏡筒１Ｅのその他の構成は、第一の実施形態のレンズ鏡筒１と同様であり、同一の構成要素には同一符号を付し、以下、異なる部分について説明する。
【００９７】
本実施形態のレンズ鏡筒１Ｅに設けられる対物レンズ９Ｅは、有限遠補正光学系顕微鏡用対物レンズ、あるいは、顕微鏡用以外の対物レンズとする。この対物レンズ９Ｅと結像レンズ４５Ｅとともは、光軸Ｏ1 上を進退駆動され、倍率の変更およびピント合わせが可能である。
【００９８】
レンズ鏡筒１Ｅを適用したハンディユニット単体でも観察対象物の拡大観察、撮影を行うことができ、上述のように倍率を変えることができる。また、該ハンディユニットは、図１に示すようにスタンドユニット７１に装着することができる。
【００９９】
次に本発明の第七の実施形態である顕微鏡システムについて、図２５，２６を用いて説明する。  
図２５は、本実施形態の顕微鏡システムのハンディユニットを装着した状態でのスタンドユニットの正面図であり、図２６は、上記顕微鏡システムの側面図である。
【０１００】
本実施形態の顕微鏡システム７０Ｆは、第一の実施形態に適用したハンディユニット７２（図６）と、図２５，２６に示すスタンドユニット７１Ｆとからなる。
【０１０１】
スタンドユニット７１Ｆは、第一の実施形態に適用したスタンドユニット７１に対して特にステージ９６が光軸Ｏ1 方向に調整移動が可能になっている点が異なる。このスタンドユニット７１Ｆのその他の構成は、第一の実施形態に適用されたスタンドユニット７１と同様であり、スタンドユニット７１Ｆに装着されるハンディユニットも第一の実施形態のものと同一である。同一の構成要素には同一符号を付し、以下、異なる部分について説明する。
【０１０２】
スタンドユニット７１Ｆのステージ９６は、剛性の高いベース９８に固着された支柱９５に対し、上下方向に摺動可能な状態で支持され、ピント調整機構を構成するベース側ピニオン（図示せず）に噛合するラック（図示せず）が固着されている。ステージ９６上には、観察対象物３０５がクリップ８８で押さえられた状態で載置される。
【０１０３】
ベース９８側の上記ピニオンは焦点調整ツマミ９７に連結されており、該調整ツマミ９７を回転操作することによりステージ９６は、光軸Ｏ1 方向に進退移動する。ステージ９６の進退移動によりハンディユニット７２に対する観察対象物３０５とのピント位置調整がなされる。
【０１０４】
スタンドユニット７１Ｆのベース９８上のステージ９６の下方位置に照明ユニット９９が配されている。照明ユニット９９には発光素子や集光レンズ等が内蔵されている。
【０１０５】
スタンドユニット７１Ｆのベース９８に固着される支柱９５の上部にはハンディユニット装着体７５Ｆが固定されている。ハンディユニット装着体７５Ｆは、第一実施形態におけるハンディユニット装着体７５と同一の構造を有しており、その凹部にハンディユニット７２の下筐体２が位置決めされた状態で装着され、固定ビス７９によって固定される。
【０１０６】
上述した構成を有する顕微鏡システム７０Ｆにおいて、スタンドユニット７１Ｆには第一の実施形態の場合と同様にハンディユニット７２が装着され、対物レンズ９の光軸Ｏ1 上に位置する観察対象物３０５に対して焦点調整ツマミ９７を回転操作することによりピント合わせがなされ、観察対象物３０５の拡大観察、撮影を行うことができる。
【０１０７】
本実施形態の顕微鏡システム７０Ｆによれば、ハンディユニット７２は、スタンドユニット７１Ｆに対して着脱可能であり、装着状態では従来の据え置き型の顕微鏡と同様に観察対象物の拡大観察、撮影を行うことができ、特に第一の実施形態の場合と比べてピント調整が行いやすい。また、ハンディユニット７２は、第一の実施形態の場合と同様にスタンドユニット７１Ｆから取り外した単体の状態で携帯し、自由に移動しながら観察対象物の拡大観察、撮影を行うことができる。
【０１０８】
なお、スタンドユニット７１Ｆには、ハンディユニット７２のほかにも他の実施形態のレンズ鏡筒１Ａ〜１Ｅを適用したハンディユニットも同様に装着可能である。
【０１０９】
この発明は、上記各実施の形態に限ることなく、その他、実施段階ではその要旨を逸脱しない範囲で種々の変形を実施し得ることが可能である。例えば、上述した実施形態のレンズ鏡筒１において、ボールネジ軸１７の前端部に固着したスラスト止めリング１９と、ボールネジ軸１７に固着した手動操作リング２０とを一体部品として形成するとともに、該一体部品をボールネジ軸１７に割り締めにより固定してもよい。
【０１１０】
さらに、上記各実施形態には、種々の段階の発明が含まれており、開示される複数の構成要件における適宜な組合せにより種々の発明が抽出され得る。
【産業上の利用可能性】
【０１１１】
本発明による顕微鏡システムは、拡大倍率と高い分解能を有し、携帯可能な状態での観察対象物の拡大像の観察、該拡大像の取得、および、映像化を簡便に行うことができ、しかも、従来の顕微鏡と同様な状態でも利用可能な顕微鏡システムとして適用できる。
【図面の簡単な説明】
【０１１２】
【図１】本発明の第一の実施形態である顕微鏡システムの外観を示す斜視図である。
【図２】図１の顕微鏡システムの正面図である。
【図３】図１の顕微鏡システムの側面図である。
【図４】図１の顕微鏡システムを構成するスタンドユニットの斜視図である。
【図５】図４のスタンドユニットの縦断面図である。
【図６】図１の顕微鏡システムを構成し、レンズ鏡筒と一眼レフカメラとからなるハンディユニットの外観を示す斜視図である。
【図７】図６のハンディユニットを下方側（スタンドユニット装着部側）から見た斜視図である。
【図８】図６のレンズ鏡筒の分解斜視図である。
【図９】図６のレンズ鏡筒を構成する顕微鏡用対物レンズ装着用鏡枠ユニットおよび鏡枠駆動ユニットの外観を示す斜視図である。
【図１０】図６のレンズ鏡筒の鏡枠筐体に収容される各ユニットの側面図である。
【図１１】図６のレンズ鏡筒における鏡枠駆動ユニットを下側筐体に取り付けた状態を示す平面図である。
【図１２】図６のレンズ鏡筒を一眼レフカメラに装着した状態での該レンズ鏡筒の光軸に沿った縦断面図である。
【図１３】図６のレンズ鏡筒に内蔵される結像光学系ユニットの正面図である。
【図１４】図６のレンズ鏡筒の結像光学系ユニットの側面図である。
【図１５】図１３のＡ−Ａ断面図である。
【図１６】図６のレンズ鏡筒を装着したハンディユニットにより被観察部表面が凸状（または平面状）である観察対象物を撮影する状態を示す図である。
【図１７】図６のレンズ鏡筒を装着したカメラからなるハンディユニットにより被観察部表面が凹状である観察対象物を撮影する状態を示す図である。
【図１８】上記レンズ鏡筒が図６のレンズ鏡筒のように結像光学系が折り曲げ結像光学系である場合と同軸結像光学系をもつ場合のハンディユニットにおける光路を比較して示す図であって、図１２（Ａ）は、図６のレンズ鏡筒の折り曲げ結像光学系を持つ場合を示し、図１２（Ｂ）は、図６のレンズ鏡筒と異なる同軸結像光学系を持つ場合を示している。
【図１９】図６のハンディユニットを三脚に装着し、野外にて拡大観察、撮影を行っている状態を示す図である。
【図２０】本発明の第二の実施形態のレンズ鏡筒を装着したハンディユニットの主要構成を示す模式図である。
【図２１】本発明の第三の実施形態のレンズ鏡筒を装着したハンディユニットの主要構成を示す模式図である。
【図２２】本発明の第四の実施形態のレンズ鏡筒を装着したハンディユニットの外観を示す斜視図である。
【図２３】本発明の第五の実施形態のレンズ鏡筒を装着したハンディユニットの外観を示す斜視図である。
【図２４】本発明の第六の実施形態のレンズ鏡筒を装着したハンディユニットの主要構成を示す模式図である。
【図２５】本発明の第七の実施形態の顕微鏡システムの正面図である。
【図２６】図２５の顕微鏡システムの側面図である。
【符号の説明】
【０１１３】
１，１Ａ，１Ｂ，１Ｃ，１Ｄ，１Ｅ…レンズ鏡筒
９  …顕微鏡用対物レンズ（対物レンズ）
９Ｅ…対物レンズ（対物レンズ）
１７…ボールネジ軸（ピント調整機構）
２０…手動操作リング（ピント調整機構）
２４…ボールネジナット（ピント調整機構）
４５，４５Ｅ…結像レンズ群（結像レンズ）
５２，５３…変倍レンズ（結像レンズ）
５５…光源（照明機構）
６５，６６…光源（照明機構）
７１，７１Ｆ…スタンドユニット
７２，３００…ハンディユニット
（拡大観察ユニット）
７３，９８…ベース（支持体）
７４，９６…ステージ
８６…発光素子（照明機構）
８７…集光レンズ（照明機構）
９７…焦点調整ツマミ（ピント調整機構）
９９…照明ユニット（照明機構）
１０１…一眼レフカメラ（撮像機器）
【図１】
2009216825.tif 000003
【図２】
2009216825.tif 000004
【図３】
2009216825.tif 000005
【図４】
2009216825.tif 000006
【図５】
2009216825.tif 000007
【図６】
2009216825.tif 000008
【図７】
2009216825.tif 000009
【図８】
2009216825.tif 000010
【図９】
2009216825.tif 000011
【図１０】
2009216825.tif 000012
【図１１】
2009216825.tif 000013
【図１２】
2009216825.tif 000014
【図１３】
2009216825.tif 000015
【図１４】
2009216825.tif 000016
【図１５】
2009216825.tif 000017
【図１６】
2009216825.tif 000018
【図１７】
2009216825.tif 000019
【図１８】
2009216825.tif 000020
【図１９】
2009216825.tif 000021
【図２０】
2009216825.tif 000022
【図２１】
2009216825.tif 000023
【図２２】
2009216825.tif 000024
【図２３】
2009216825.tif 000025
【図２４】
2009216825.tif 000026
【図２５】
2009216825.tif 000027
【図２６】
2009216825.tif 000028